(57)【要約】【課題】省スペースながら高い断熱機能を有するための建築物断熱工法を提供する。【解決手段】建築物において、建築物外空間と建築物内部空間とを隔てる部分に、塗料型断熱層を設けることを特徴とする。【選択図】      図１
2005207206.tif 000002
【特許請求の範囲】
【請求項１】
建築物において、建築物外空間と建築物内部空間とを隔てる部分に、塗料型断熱層を設けることを特徴とする建築物断熱工法。
【請求項２】
建築物表面材の表面に光触媒層を設けてなる請求項１記載の建築物断熱工法。
【発明の詳細な説明】
【技術分野】
【０００１】  この発明は、塗料型断熱材を用いることにより従来のように多量の断熱材を用いずとも十分なる断熱効果を得ることのできる高機能な断熱工法に関する。
【背景技術】
【０００２】  従来より、一般住宅その他の建築物には断熱工法が利用されているが、グラスウールや発泡ウレタンその他の断熱材を多量に用いる工法が多く、本発明にて示すように、顕著な断熱効果を有する塗料型断熱材を用いる断熱工法は現在のところ見当たらない。
【発明の開示】
【発明が解決しようとする課題】
【０００３】  前記したように、従来の断熱工法はその断熱効果を発揮させるために多量の断熱材を使用するため、作業時間と労力が大きくなり、断熱材としてよく使われるグラスウールや発泡ウレタンは建築物解体時には産業廃棄物ともなる。また、断熱機能を維持するためそれなりの容積を必要とするので室内空間容積を大きく採れないという問題を有している。
本発明は、以上のような従来からの断熱工法に関わる課題を解決するために発明されたもので、高断熱機能を有する塗料型断熱材を使用することにより、省スペースで作業性も良好なる新規な断熱工法を提供することを目的としたものである。
【課題を解決するための手段】
【０００４】  課題を解決する手段として本発明は、建築物に塗料型断熱材を設けてその主要部を構成した。すなわち、建築物において、建築物外空間と建築物内部空間とを隔てる部分に、塗料型断熱層を設ける。本発明は以上の構成よりなる建築物断熱工法である。
【発明の効果】
【０００５】  本発明によれば、従来からのグラスウールや発泡ウレタンなどの断熱材に代えて高断熱機能を有する塗料型断熱材を用いたので、断熱工事に関わる時間と労力を低減するとともに省スペースでの断熱を可能とする有用なる断熱工法を提供することができる。また、建築物表面材に光触媒層を設けることで建物外面の汚染を防止することができる。
【発明を実施するための最良の形態】
【０００６】  以下、本発明の実施形態について説明する。
図において、１は内装材で、石膏ボード等が多用される。２は軟質合成樹脂シートによる防湿シートで、内装材面に取り付けられる。３は構造用合板としてのベニヤ板で、内装材と少しの距離をもって位置している。４はベニヤ板に塗布乾燥される塗料型断熱材、５は塗料型断熱材と少しの間隙を持って位置する表面材で、合成樹脂板や金属板などが多用される。６は塗料型断熱材と表面材との間の空間で、通気層である。７は表面材の表面に塗布施工される光触媒層である。なお、内装材と構造用合板間には間柱８が、塗料型断熱材と表面材間には適宜厚の細長木板よりなる縦胴縁９が位置している。
塗料型断熱材は、中空セラミック微小球体や非結晶シリカ微少体を水溶性ラテックスに浸透させたものであり、物体に塗布乾燥させて使用し、乾燥時において熱反射率９９％以上、熱伝導率０．０２キロカロリー／ｍ２ｈｒ℃以下の優れた数値を示す新素材である。
光触媒は、光を吸収して高エネルギー体となり、そのエネルギーを反応物質に与えて化学反応を起こさせる物質であり、半導体や金属錯体などが知られている。
本案に使用する光触媒は、二酸化チタンを微粒子状にし、この微粒子二酸化チタン表面に微粒子状の燐灰石をコーティングしたものを、吹きつけ塗布するものである。
この二酸化チタンに紫外線が当たると、非常に強い酸化力・還元力をもつ正孔と電子を作り、この正孔と電子は大気中の水分を水酸ラジカルやスーパーオキサイドイオンという活性酸素に変換する。とくに水酸ラジカルは非常に大きなエネルギーを有し、結合力の高い有機物や無機物を簡単に分解する。【０００７】  例えば有害物質である排気ガスやシックハウス症候群の要因とされるホルムアルデヒドや、タバコの匂いの成分であるアセトアルデヒドその他アンモニア臭などさまざまな空気の汚れを除去する効果を有している。また、燐灰石は吸着力・隠蔽力に優れ、毒性がなく安定した物質として知られる。この燐灰石を二酸化チタン微粒子表面にコーティングすることで双方の特長を生かして有効性を高めることができる。すなわち、二酸化チタンは光がなければ吸着力が働かず、弱い吸着力となる。また、酸の強力な分解力が塗布面の基材も分解してしまう恐れがある。
しかし、燐灰石をコーティングすることで物質の吸着性に優れ、光の有無などの条件に関係なく常時有機物質の高吸着力を発揮する。また燐灰石は被膜効果に優れ、基材と二酸化チタンのスペーサーとなるため、塗布基材の分解を防ぎ、チタン濃度を上げてチタン単体光触媒剤の数倍の高い分解性能を発揮させることができる。【０００８】  本発明による壁面の場合の工法手順は以下の通りである。
１．柱および間柱を立てる。
２．構造用合板を柱と間柱に取り付ける。
３．構造用合板に塗料型断熱材を吹きつけ塗装し、所定時間放置にて乾燥させて断熱層を形成する。
４．断熱層上に縦胴縁を取り付ける。
５．縦胴縁上に表面材としての外装材を取り付ける。
６．柱および間柱の構造用合板と反対側の面に防湿シートを取り付ける。
７．防湿シート上に内装材を取り付ける。
以上の工程における構造用合板、縦胴縁、表面材、内装材の各取付はスクリュー釘等を用い、防湿シートの取付はスクリュー釘と粘着テープが併用される。
また、表面材は取り付け作業前に、その表面に液状の光触媒を塗布し、放置乾燥させて光触媒層を形成しておき、取り付け作業時の簡略化を図る。
以上の手順にて図１および図２に示す本発明による断熱壁面が完成する。
従来工法は図３に示すように、光触媒および塗料型断熱材を用いずに防湿シートと構造用合板間に断熱素材を位置させたものである。
断熱素材としては、グラスウール、ポリウレタン、発泡樹脂、アスベスト、木材など種々あるが、それぞれに長所と短所がある。【０００９】  発泡樹脂は軽くて比較的安価であるが熱に弱く、高温にさらされる用途には向かない。
木材は火災に弱く、アスベストは環境問題があり、有害である。ポリウレタンによる断熱は、施工当初は断熱機能を有しているが、時間の経過とともにポリウレタンの気泡の中に壁内結露による水が溜まり、保水材と化してしまい、断熱機能が損なわれてしまう。
グラスウールはその作業性の良さと価格の安さから最も多く利用されているが、他の断熱材に比べると断熱機能に劣り、かつ吸水性も有してその断熱機能は次第に低下する。
しかるに本発明は、前記のような従来からの断熱材を用いずに、塗料型断熱材を構造用合板に塗布乾燥させて薄膜状の断熱層を設けるものであり、その構成から薄膜であっても従来の断熱材を超える断熱機能を有するため、省スペースでの断熱工法が可能となり、その断熱機能を維持するものである。
また、光触媒を表面材に施すことにより、表面材に付着した大気中の汚染物質を分解して清浄に保つ効果を有するものとなった。
本発明の概要については既述したが、図示の例は本発明の一実施形態を示すものであり、図示構造に限定されるものではない。また、図示の例では構造用合板と表面材との間に間隙を設けて通気層としており、外部から侵入した水分をここで落下させて内部への影響を防ぐとともに、内装材に設けた防湿シートにより、ここでも水分漏れを防ぐよう配慮されている。なお、実施形態で示したのは壁面への施工形態であるが、他に天井や床その他の部位への利用も十分可能である。
以上のごとく、本発明によって高断熱機能を有する建築物の断熱工法が得られ、光触媒を併用することによって建物外面の汚染も防止することができる。
【図面の簡単な説明】
【００１０】
【図１】本発明の構造説明図
【図２】本発明の要部構造拡大説明図
【図３】従来方式の要部構造拡大説明図
【符号の説明】
【００１１】１  内装材
２  防湿シート
３  構造用合板
４  塗料型断熱材
５  表面材
６  通気層
７  光触媒層
８  間柱
９  縦胴縁
１０断熱素材
【図１】
2005207206.tif 000003
【図２】
2005207206.tif 000004
【図３】
2005207206.tif 000005